(57)【要約】【課題】経血などによる肌荒れの防止又は治療が可能な生理用ナプキン、既存の生理用ナプキンのトップシートの表面に載せて使用して、体液による肌荒れの防止又は治療が可能な新規な生理用ナプキン用付加トップシートを提供する。【解決手段】生理用ナプキンは、トップシートに加水分解卵殻膜を担持させた。生理用ナプキン用付加トップシートは、液透過性のシート状支持体に加水分解卵殻膜を担持させてなる。【選択図】      図２
2006326018.tif 000002
【特許請求の範囲】
【請求項１】
加水分解卵殻膜を担持させたトップシートを有する生理用ナプキン。
【請求項２】
トップシートは、これに加水分解卵殻膜を含有する液を吹き付け、乾燥させたものである請求項１に記載の生理用ナプキン。
【請求項３】
トップシートは、これを加水分解卵殻膜を含有する液に浸漬し、引き上げ、乾燥させたものである請求項１に記載の生理用ナプキン。
【請求項４】
液透過性のシート状支持体に加水分解卵殻膜を担持させた生理用ナプキン用付加トップシート。
【請求項５】
液透過性のシート状支持体に加水分解卵殻膜を含有する液を吹き付け、乾燥させてなる請求項４に記載の生理用ナプキン用付加トップシート。
【請求項６】
液透過性のシート状支持体を加水分解卵殻膜を含有する液に浸漬し、引き上げ、乾燥させてなる請求項４に記載の生理用ナプキン用付加トップシート。
【請求項７】
液透過性のシート状支持体は、紙、不織布、織布、編布、液透過性のプラスチックフィルム又はシートである請求項４ないし６のいずれか１項に記載の生理用ナプキン用付加トップシート。
【発明の詳細な説明】
【技術分野】
【０００１】
本発明は、生理用ナプキン及び新規な生理用ナプキン用付加トップシートに関する。
【背景技術】
【０００２】
生理用ナプキンは、基本的には、液透過性のトップシートと液漏れ防止用のバックシートとの間に吸収体を介在させて構成されている。トップシートは、肌に直接触れるので、肌荒れ防止のために摩擦係数の小さい材料で作られている。
【特許文献１】特になし
【発明の開示】
【発明が解決しようとする課題】
【０００３】
生理期間は、通常、４，５日続き、長い人では１週間にも及ぶ。そして、経血量は、生理期間の初めの２，３日目に最も多く、漸次減ってくる。経血量の多い期間は、肌が多量の経血に触れ続けるため、肌はふやけ、刺激を受けやすい状態になる。そして、経血量が減ってくると、ナプキンが肌に直接触れ合うこととなるため、デリケートになっている肌が擦れてトスレスを受け、繊細な肌（皮膚）の角層が損傷を受ける。そして、生理がほぼ終わっても、角層が少なく脆弱になっている肌にナプキンが直接触ってヒリヒリ擦れる感じにより不快感が残る。これが肌荒れと称される現象である。これが原因となって、生理期間中に、肌の痒み、炎症あるいは湿疹を患う女性は少なくない。しかし、従来は、このような肌荒れを防止し、又は治療することができる生理用ナプキンはなかった。月経は平均２８日ごとに繰り返される。肌荒れ防止又は治療が可能な生理用ナプキンの出現がいかに要望されているかは、容易に理解される。
【０００４】
本発明は、その要望に応えるためになされたものである。すなわち、本発明の第一の課題は、経血その他の体液による肌荒れの防止又は治療が可能な生理用ナプキンを提供することにある。
【０００５】
本発明の第二の課題は、既存の生理用ナプキンのトップシートの表面に載せて使用することにより、体液による肌荒れの防止又は治療が可能な新規な生理用ナプキン用付加トップシートを提供することにある。
【課題を解決するための手段】
【０００６】
上記第一の課題を解決するため、本発明による生理用ナプキンは、トップシートに加水分解卵殻膜を担持させたものであることを特徴としている（請求項１）。
【０００７】
加水分解卵殻膜を担持させたトップシートは、トップシートに加水分解卵殻膜を含有する液を吹き付け、乾燥させたもの（請求項２）、又は、トップシートを加水分解卵殻膜を含有する液に浸漬し、引き上げ、乾燥させたもの（請求項３）、のいずれでもよい。
【０００８】
また、上記第二の課題を解決するため、本発明による生理用ナプキン用付加トップシートは、シート状支持体に加水分解卵殻膜を担持させたものであることを特徴としている（請求項４）。
【０００９】
シート状支持体に加水分解卵殻膜を担持させたものは、シート状支持体に加水分解卵殻膜を含有する液を吹き付け、乾燥させてなるもの（請求項５）、又はシート状支持体を加水分解卵殻膜を含有する液に浸漬し、引き上げ、乾燥させてなるもの（請求項６）、のいずれでもよい。
【００１０】
シート状支持体は、紙、不織布、織布、編布、液透過性のプラスチックフィルム又はシートのいずれでもよい（請求項７）。
【発明の効果】
【００１１】
請求項１の発明による生理用ナプキンは、トップシートが加水分解卵殻膜を担持しているが、加水分解卵殻膜は、高い吸湿性及び保湿性を有し、炎症緩和作用、損傷した皮膚の再生促進作用及び早期治療作用を有するので、生理用ナプキンの使用中に体液、特に経血による肌荒れを予防し、炎症を緩和し、肌荒れが生じた皮膚の再生を促進する。従って、生理期間中の肌の痒み、炎症あるいは湿疹の発症が防止される。
【００１２】
卵殻膜微粉体は水溶性を有しないが、加水分解卵殻膜は卵殻膜微粉体よりも微小であって、水溶性であり、加水分解後も優れた皮膚再生作用と炎症緩和作用を有する。従って、請求項２及び請求項３の発明による生理用ナプキンを使用すると、生理用ナプキン使用中に体液による肌荒れが生じた場合の、皮膚再生促進作用及び炎症緩和作用が一層顕著になる。従って、生理期間中の肌の痒み、炎症あるいは湿疹の発症を防止し、又は治療する効果が格段に高揚される。
【００１３】
請求項４の発明によれば、付加トップシートを既存の生理用ナプキンのトップシートの表面に載せて使用することにより、請求項１の発明による生理用ナプキンと同様の効果を享受することができる。
【００１４】
請求項５又は６の発明による生理用ナプキン用付加トップシートは、これを既存の生理用ナプキンのトップシートに載せて、又は貼り付けて使用すると、生理用ナプキン使用中に体液による肌荒れが生じた場合の、皮膚再生促進作用及び炎症緩和作用が一層顕著になる。従って、生理期間中の肌の痒み、炎症あるいは湿疹の発症を防止し、又は治療する効果が格段に高揚される。
【００１５】
シート状支持体が、紙、不織布、織布、編布、液透過性のプラスチックフィルム又はシートである場合は、液透過性に優れているので体液の吸収体への吸収が妨げられず、しかも、加水分解卵殻膜が含浸しやすいので、体液吸収後に肌荒れ防止又は治療作用が良く発揮される。
【発明を実施するための最良の形態】
【００１６】
続いて、本発明の実施の形態について図面に基づいて説明する。
図１は本発明に係る生理用ナプキンのトップシートを上向きに示した斜視図、図２は図１のＸ−Ｘ線に沿った断面図、図３は本発明に係る生理用ナプキン用付加トップシートを既存の生理用ナプキンとともに示す斜視図である。
【００１７】
図１の生理用ナプキンＮ１は、既存の生理用ナプキンと同様に、液透過性のトップシート１と、防漏性のバックシート２との間に、高い液吸収性を有する吸収体３を介在させて構成されている。１ａは、体液の吸収速度を速めるためにトップシート１に設けられた小孔群である。
【００１８】
本発明に係る生理用ナプキンが既存の生理用ナプキンと異なる点は、トップシート１に加水分解卵殻膜４が担持されていることである。加水分解卵殻膜４は、鳥類の卵の殻の内側にある膜（外卵殻膜及び／又は内卵殻膜）を蛋白質分解酵素、酸、アルカリなどを用いて加水分解したものである。この加水分解卵殻膜４は、水溶性を有するか、水に易分散性を有するものである。同じ卵殻膜でも、卵殻膜微粉体は粒経が比較的大きく、水溶性でないが、加水分解卵殻膜４は粒経が極小であり、水に対して可溶性又は易分散性を有するので、皮膚から吸収されやすく、吸湿性及び保湿性を有し、肌に対して良好な潤滑性を有する。
【００１９】
加水分解卵殻膜４をトップシート１に担持させる方法は、バックシート２及び吸収体３と接合される前のトップシートに、（ａ）加水分解卵殻膜を含有する液をスプレー塗装装置により吹き付け、乾燥させる方法、（ｂ）前記トップシートを加水分解卵殻膜を含有する液に浸漬し、一定時間放置して加水分解卵殻膜をトップシートの組織の中に浸透させた後、、引き上げて、乾燥させる方法のいずれも用いることができる。
【００２０】
加水分解卵殻膜が水溶性又は易分散性を有するので、上記（ａ）（ｂ）のいずれの方法の場合も、短時間に効率的にかつ均等に、所要の厚みに吹き付け又は含浸させることができる。トップシートの１００ｃｍ2 当たりの加水分解卵殻膜の塗布量は、３ないし２０ｇ程度が、トップシートの製造容易性、ナプキン使用者の肌に対する触感、皮膚損傷部に対する再生促進効果、コストなどの点から好ましい。
【００２１】
トップシート１に含浸させる加水分解卵殻膜を含有する液としては、乾燥後に肌に当たったときに安全なものであれば、いずれでもよい。例えば、加水分解卵殻膜を含有する水溶液や水分散液、加水分解卵殻膜を含有する水とアルコールの混合溶媒や分散液などを用いることができる。トップシート１に含浸させる加水分解卵殻膜を含有する液中での加水分解卵殻膜の濃度は、適宜調整可能であるが、一般的には１〜２０質量％程度、特に５〜１５質量％程度が、皮膚の炎症部の緩和効果、損傷部の細胞再生促進効果、コスト、使用感などの点から好ましい。加水分解卵殻膜が適度な保湿性及び潤滑性を有するためには、乾燥が不要な場合もあり、一般的には乾燥の度合いを少なくした方がよい。
【００２２】
加水分解卵殻膜を含有する液のトップシートへの含浸量又は塗布量は、トップシートの材質、嵩密度、厚さなどに応じて調整可能であるが、一般的には含浸前のトップシート材の質量に対して、５０〜２００質量％であることが、体液透過性確保、炎症緩和効果、皮膚再生促進効果、コスト、使用感などの点から好ましい。
【００２３】
加水分解卵殻膜４が担持されたトップシート１は、既存の生理用ナプキンの製造の場合と同様にして，その周辺がバックシート２に接合され、その間に吸収体３が収容されるが、ナプキン未使用の状態では、そのトップシート１は前後部分が中央部分の表面に向けて折り畳まれ、かつ、サイドフラップ５により被覆され、包み材で包装されるので、加水分解卵殻膜４の衛生状態は保護される。
【００２４】
そして、本発明の生理用ナプキンＮ１は、従来品と同じ方法で使用される。その場合、使用者の肌に当たるトップシート１は、液透過性を有するほか、肌に対する吸湿性及び潤滑性の高い、皮膚の炎症緩和作用と再生促進作用を有する加水分解卵殻膜４を含有しているから、トップシートに対する肌触りが滑らかであり、擦れの発生が軽減され、仮に体液の接触又は湿潤により肌ストレスが発生しても、肌荒れ（炎症）になることが防止され、肌荒れが発生したとしても、加水分解卵殻膜の作用により炎症が緩和される。また、皮膚が損傷された場合は、皮膚再生が促進される。従って、本発明の生理用ナプキンを使用すれば、生理中又は後の肌の痒み、炎症あるいは湿疹で悩むことから解放される。
【００２５】
図３において、Ｎ２は既存の生理用ナプキンであり、Ａはその既存のナプキンのトップシート１の表面に載せて（又は貼り付けて。以下、同じ。）使用される、本発明に係る付加トップシートである。付加トップシートＡは、支持体６に加水分解卵殻膜７を担持させてなるものである。
【００２６】
支持体６は、付加トップシートを生理用ナプキンＮ２に載せて使用する場合に、受けた体液を生理用ナプキンＮ２のトップシートを通過させ、吸収体に吸収させる必要があるので、液透過性を有する紙、不織布、織布、編布、プラスチックフィルム又はシートで構成されている。発汗率が高い夏期などは、通気性、涼感性が好まれるので、支持体６にはメッシュ体を用いるとともに、加水分解卵殻膜７の含有量を少な目にすることが好ましい。
【００２７】
支持体６に担持される加水分解卵殻膜７は、上述された本発明の生理用ナプキンのトップシートに担持された加水分解卵殻膜４と同じものである。また、支持体６に加水分解卵殻膜７を担持させる方法も、上述された生理用ナプキンのトップシート１に加水分解卵殻膜４を担持させる方法と同じである。生産効率とコストにより定められた所定の大きさの支持体に加水分解卵殻膜７を含有させ、乾燥した後、支持体を適当な大きさに裁断して付加トップシートを製作する。
【００２８】
支持体の形状は、既存の生理用ナプキンＮ２のトップシート１がほぼ全面的に被覆される大きさとすることが、好ましい。そして、付加トップシートを既存の生理用ナプキンＮ２の表面に貼り付ける場合は、支持体６の例えば前後両端に離型性の粘着材料８を塗着しておき、その粘着材料で既存の生理用ナプキンＮ２の例えばバックシート３の上面に粘着すると良い。これにより、トップシート及び付加トップシートの体液透過面積が減少されることが防止される。また、付加トップシートの周辺がバックシート２の周辺をも被覆する大きさにした場合は、従来のバックシートとの肌の擦れによる炎症も予防又は緩和される効果が得られる。
【００２９】
上記構成により、本発明に係る付加トップシートＡは、既存の生理用ナプキンのトップシート１の上に載せて、生理用ナプキンとともに使用される。そして、付加トップシートに含有されている加水分解卵殻膜は、上述された作用効果を有する。従って、本発明では、既存の生理用ナプキンに載せるだけで、生理期間中の肌の痒み、炎症あるいは湿疹で悩むことから解放される。
【図面の簡単な説明】
【００３０】
【図１】本発明に係る生理用ナプキンのトップシートを上向きに示した斜視図。
【図２】図１のＸ−Ｘ線に沿った断面図。
【図３】本発明に係る生理用ナプキン用付加トップシートを既存の生理用ナプキンとともに示す斜視図。
【符号の説明】
【００３１】
Ｎ１    生理用ナプキン
１    トップシート
２    バックシート
３    吸収体
４    加水分解卵殻膜
Ｎ２    既存の生理用ナプキン
Ａ    付加トップシート
６    支持体
７    加水分解卵殻膜
８    粘着材料
【図１】
2006326018.tif 000003
【図２】
2006326018.tif 000004
【図３】
2006326018.tif 000005